(57)【要約】      （修正有）【課題】ネットワークで自装置と接続された記録装置にコンテンツデータをダビング又はムーブさせる際の利便性を向上させる。【解決手段】録画装置１００のコンテンツ選択受付部１５はネットワークＮＴに接続された記録装置２００ａに送信するコンテンツデータの選択を受付ける。データ容量算出部１６は情報受信部１４が受信した最高圧縮率に基づいて、前記最高圧縮率で圧縮した場合の前記コンテンツデータのデータ容量を算出する。データ容量判定部１７は算出した圧縮後のコンテンツデータのデータ容量が受信した前記記録装置２００ａの記録媒体２３の記録可能容量内であるか否かを判定する。圧縮後のデータ容量が前記記録媒体２３の記録可能容量内であると判定した場合、コンテンツ送信部１９は前記コンテンツデータを圧縮して記録する旨の指示を前記記録装置２００ａに送信する。【選択図】図１
2012109816.tif 000002
【特許請求の範囲】
【請求項１】
ネットワークで自装置と接続された記録装置から、当該記録装置で用いられる記録媒体の記録可能容量と、この記録装置が有するデータ圧縮機能の最高圧縮率を示す情報とを受信する情報受信手段と、
前記記録装置に送信するコンテンツデータの選択を受付けるコンテンツ選択受付手段と、
前記情報受信手段が受信した前記最高圧縮率に基づいて、前記最高圧縮率で圧縮した場合の前記コンテンツデータのデータ容量を算出するデータ容量算出手段と、
前記データ容量算出手段が算出した前記圧縮後のコンテンツデータのデータ容量が、前記情報受信手段が受信した前記記録媒体の記録可能容量内であるか否かを判定するデータ容量判定手段と、
前記データ容量判定手段が前記圧縮後のデータ容量は前記記録媒体の記録可能容量内であると判定した場合に、前記コンテンツデータを圧縮して記録する旨の指示を前記記録装置に送信する送信手段と、
を備えることを特徴とする録画装置。
【請求項２】
前記データ容量判定手段が前記圧縮後のデータ容量は前記記録媒体の記録可能容量内であると判定した場合に、前記記録装置によって前記コンテンツデータを圧縮するか否かの選択を受付ける圧縮受付手段をさらに備え、
前記送信手段は、前記圧縮受付手段が前記コンテンツデータを圧縮する旨の選択を受付けた場合に、前記記録装置に前記指示を送信すること、
を特徴とする請求項１に記載の録画装置。
【請求項３】
前記コンテンツデータを送信する送信先の前記記録装置の選択を受付ける送信先受付手段をさらに備え、
前記データ容量判定手段は、前記データ容量算出手段が算出した前記圧縮後のコンテンツデータのデータ容量が、前記送信先受付手段が受付けた前記記録装置で用いられる前記記録媒体の記録可能容量内であるか否かを判定すること、
を特徴とする請求項１または２に記載の録画装置。
【請求項４】
前記データ容量判定手段による判定結果を表示装置に表示させる表示制御手段をさらに備えること、
を特徴とする請求項１ないし３のいずれか１つに記載の録画装置。
【請求項５】
前記情報受信手段が受信した前記記録媒体の記録可能容量と、前記コンテンツ選択受付手段が受付けた前記コンテンツデータのデータ容量と、前記データ容量算出手段が算出した前記圧縮後のコンテンツデータのデータ容量と、を表示装置に表示する第２表示制御手段をさらに備えること、
を特徴とする請求項１ないし４のいずれか１つに記載の録画装置。
【請求項６】
前記圧縮受付手段は、前記各コンテンツデータについてそれぞれ、前記圧縮を施すか否かの選択を受付けること、
を特徴とする請求項２ないし５のいずれか１つに記載の録画装置。
【請求項７】
記録媒体に記録するコンテンツデータを圧縮するデータ圧縮手段と、
ネットワークで自装置と接続された録画装置に、前記データ圧縮手段が有するデータ圧縮機能の最高圧縮率を示す情報を送信する情報送信手段と、
を備えることを特徴とする記録装置。
【請求項８】
前記録画装置から、前記コンテンツデータを圧縮して記録する旨の指示を受信する受信手段と、
前記録画装置または自装置とネットワークで接続された他の記録装置から、前記コンテンツデータを受信するコンテンツ受信手段と、を備え、
前記データ圧縮手段は、前記指示に基づいて受信した前記コンテンツデータを圧縮すること、
を特徴とする請求項７に記載の記録装置。
【請求項９】
録画装置において、
ネットワークで自装置と接続された記録装置から、当該記録装置で用いられる記録媒体の記録可能容量と、この記録装置が有するデータ圧縮機能の最高圧縮率を示す情報とを受信する情報受信工程と、
前記記録装置に送信するコンテンツデータの選択を受付けるコンテンツ選択受付工程と、
前記情報受信工程で受信した前記最高圧縮率に基づいて、前記最高圧縮率で圧縮した場合の前記コンテンツデータのデータ容量を算出するデータ容量算出工程と、
前記データ容量算出工程で算出した前記圧縮後のコンテンツデータのデータ容量が、前記情報受信工程で受信した前記記録媒体の記録可能容量内であるか否かを判定するデータ容量判定工程と、
前記データ容量判定工程で前記圧縮後のデータ容量は前記記録媒体の記録可能容量内であると判定した場合に、前記コンテンツデータを圧縮して記録する旨の指示を前記記録装置に送信する送信工程と、
を含むことを特徴とする録画装置の制御方法。
【発明の詳細な説明】
【技術分野】
【０００１】
本発明の実施形態は、録画装置、記録装置及び録画装置の制御方法に関する。
【背景技術】
【０００２】
近年、ホームネットワーク技術の進展に伴い、録画装置で録画した動画コンテンツを、ネットワークに接続された他の装置にネットワーク経由でダビングやムーブすることが行われている。例えば、テレビジョン受像装置に接続された録画装置によって録画した動画コンテンツを、無線ＬＡＮ等で接続した記録装置に送信し、当該記録装置にてブルーレイディスク（ＢＤ）やＤＶＤ（Digital  Versatile  Disk）等の光学ディスクにダビングすることが行われている。
【０００３】
ところで、光学ディスクの記録容量は限られているため、コンテンツデータのデータ容量によっては１枚の光学ディスクに収めることができない場合があった。従来、このような場合には、自装置に挿入された光学ディスクの記録容量や残量を判定して、コンテンツデータが１枚の光学ディスクに収まるように、画質を落としてダビングを行っていた。
【先行技術文献】
【特許文献】
【０００４】
【特許文献１】特開２００４−１０４４７０号公報
【発明の概要】
【発明が解決しようとする課題】
【０００５】
しかしながら、従来の録画装置は、無線ＬＡＮ等のネットワークを介して接続される記録機器が、ビットレート変換機能やデータ圧縮機能等のコンテンツデータのデータ容量を低減するデータ圧縮を行う場合に、圧縮後のコンテンツデータが光ディスク等の記録媒体に収まるか否かが不明であるという問題がある。
【０００６】
本発明は、上記に鑑みてなされたものであって、ネットワークで自装置と接続された記録装置にコンテンツデータをダビング又はムーブさせる際の利便性を向上させることを目的とする。
【課題を解決するための手段】
【０００７】
実施形態の録画装置は、情報受信手段と、コンテンツ選択受付手段と、データ容量算出手段と、データ容量判定手段と、送信手段と、を備える。情報受信手段は、ネットワークで自装置と接続された記録装置から、当該記録装置で用いられる記録媒体の記録可能容量と、この記録装置が有するデータ圧縮機能の最高圧縮率を示す情報とを受信する。コンテンツ選択受付手段は、前記記録装置に送信するコンテンツデータの選択を受付ける。データ容量算出手段は、前記情報受信手段が受信した前記最高圧縮率に基づいて、前記最高圧縮率で圧縮した場合の前記コンテンツデータのデータ容量を算出する。データ容量判定手段は、前記データ容量算出手段が算出した前記圧縮後のコンテンツデータのデータ容量が、前記情報受信手段が受信した前記記録媒体の記録可能容量内であるか否かを判定する。送信手段は、前記データ容量判定手段が前記圧縮後のデータ容量は前記記録媒体の記録可能容量内であると判定した場合に、前記記録装置に、前記コンテンツデータを圧縮して記録する旨の指示を送信する。
【図面の簡単な説明】
【０００８】
【図１】図１は、実施形態のネットワークコンテンツダビングシステムを示すブロック図である。
【図２】図２は、記録装置から送信された機能情報の一部の一例を示す模式図である。
【図３】図３は、機器選択画面の一例を示す図である。
【図４】図４は、ドライブ選択画面の一例を示す図である。
【図５】図５は、コンテンツ選択画面の一例を示す図である。
【図６】図６は、圧縮受付画面の一例を示す図である。
【図７】図７は、コンテンツデータの圧縮指示を含むコンテンツメタデータの一部の一例を示す模式図である。
【図８】図８は、ネットワークコンテンツダビングシステムにおいて行われるコンテンツダビング処理の手順の一例を示すシーケンス図である。
【発明を実施するための形態】
【０００９】
図１は、実施形態のネットワークコンテンツダビングシステム１の構成を示すブロック図である。図１に示すように、ネットワークコンテンツダビングシステム１は、録画装置１００と、複数の記録装置（２００ａ、２００ｂ、２００ｃ、…）とを有し、有線ＬＡＮや無線ＬＡＮ等のネットワークＮＴにより各装置が通信可能に接続されている。なお、以下では、記録装置（２００ａ、２００ｂ、２００ｃ、…）を総称して記録装置２００と表記する。
【００１０】
また、録画装置１００には、バスやインターフェース（Ｉ／Ｆ）によって表示装置３００やスピーカ４００が接続される。表示装置３００としては、例えば液晶ディスプレイやプラズマディスプレイ等を用いることができる。また、スピーカ４００は表示装置３００に内蔵されていてもよい。
【００１１】
まず、録画装置１００のハードウェア構成について説明する。録画装置１００は、デジタル放送で放送される番組コンテンツ（以下、コンテンツと称する）を録画する。図１に示すように、録画装置１００は、チューナー３と、記録部４と、信号処理部５と、映像・音声出力部６と、ネットワークＩ／Ｆ７と、制御部１０とを備えており、これらがバス等で接続されて構成されている。
【００１２】
尚、本実施の形態では、録画装置１００を、記録部４としてＨＤＤ（Hard  Disc  Drive）を備えるＨＤＤレコーダに適用した例について説明するが、これに限定されるものではない。その他の例としては、同時に複数のチャンネルの番組のコンテンツデータを、内蔵するＨＤＤに録画することが可能なテレビジョン受像装置に適用することができる。尚、この場合には、表示装置３００と、スピーカ４００とが録画装置１００に内蔵される。
【００１３】
チューナー３は、放送局からアンテナ２を介してコンテンツデータを受信し、記録部４および制御部１０に出力する。ここで、コンテンツデータとは、コンテンツの動画データおよび音声データ、その他の制御データ等が多重化されたトランスポートストリーム（ＴＳ）のことである。
【００１４】
記録部４は、制御部１０の指示に従い、チューナー３から出力されたコンテンツデータを記録（録画）する。信号処理部５は、制御部１０の指示に従い、記録部４に記録されたコンテンツデータを映像信号と音声信号とに変換し、映像・音声出力部６に出力する。
【００１５】
映像・音声出力部６は、入力された映像信号および音声信号を、各種インターフェースを介して表示装置３００およびスピーカ４００に出力する。これにより、表示装置３００にはコンテンツの映像が表示され、当該映像と同期してコンテンツの音声がスピーカ４００から出力される。
【００１６】
制御部１０は、ＣＰＵ（Central  Processing  Unit）、ＲＯＭ（Read  Only  Memory）、ＲＡＭ（Random  Access  Memory）等を備えており、信号処理部５や映像・音声出力部６を制御して、記録部４に記録された映像に対する各種処理を行う。
【００１７】
次に、記録装置２００のハードウェア構成について説明する。記録装置２００は、図１に示すように、ネットワークＩ／Ｆ２１と、ドライブ２２と、制御部２０とを主に備えている。ドライブ２２としては、記録媒体２３としてＨＤを備えるＨＤＤや、記録媒体２３としてＢＤやＤＶＤ等の光ディスクを挿入して用いるＢＤドライブやＤＶＤドライブ等を用いることができる。
【００１８】
尚、記録装置２００の記録方式は特に限定されるものではなく、ＨＤＤのように磁気ディスクを用いるドライブ２２を用いてもよいし、ＤＶＤドライブやＢＤドライブのような光ディスクを用いるドライブ２２を用いてもよい。また、記録装置２００は、複数のドライブ２２を備えるとしてもよい。
【００１９】
制御部２０は、ＣＰＵ、ＲＯＭ、ＲＡＭ等を備えており、ドライブ２２を制御して、ネットワークＩ／Ｆ２１を介して受信したコンテンツデータを記録媒体２３に記録させる。
【００２０】
次に、録画装置１００の機能的構成について説明する。録画装置１００の制御部１０は、ＣＰＵがＲＯＭに記録されたプログラムをＲＡＭに展開して実行することにより、図１に示すように、表示制御部１１と、送信指示受付部１２と、記録装置検索部１３と、情報受信部１４と、コンテンツ選択受付部１５と、データ容量算出部１６と、データ容量判定部１７と、圧縮指示受付部１８と、コンテンツ送信部１９として機能する。
【００２１】
表示制御部１１は、チューナー３を介して取得した電子番組ガイド（ＥＰＧ）や、記録部４に格納されているコンテンツのリスト、録画や再生などの動作を選択するメニュー画面、各種選択を受付けるＧＵＩ（Graphical  User  Interface）等を、映像・音声出力部６を介して表示装置３００に表示させる。また、表示制御部１１は、機器選択画面Ｇ１（図３参照）、ドライブ選択画面Ｇ２（図４参照）、コンテンツ選択画面Ｇ３（図５参照）、圧縮受付画面Ｇ４（図６参照）等のＧＵＩを表示装置３００に表示させる。
【００２２】
送信指示受付部１２は、ユーザから、ネットワークＮＴに接続された少なくとも１つの記録装置２００に対してコンテンツデータを送信する旨の指示である送信指示を受付ける。尚、送信指示としては、コンテンツデータをダビング（コピー）する指示や、コンテンツデータをムーブ（移動）する指示が含まれる。以下では、コンテンツデータのダビング及びムーブを、単に“ダビング”と表記する。
【００２３】
より詳細には、送信指示受付部１２は、表示制御部１１が提供する録画や再生などの動作を選択させるためのメニュー画面（不図示）において、コンテンツをダビングする旨の選択がなされた場合、あるいは、図示しないリモートコントローラ（以下ではリモコンと称する）においてダビングボタンが押下された場合に、これらの指示を上述の送信指示として受付ける。
【００２４】
記録装置検索部１３は、送信指示受付部１２が送信指示を受付けた場合に、ネットワークＮＴに接続されている記録装置２００を検索する。
【００２５】
より具体的には、記録装置検索部１３は、ＵＰｎＰ（Universal  Plug  and  Play）モジュールによって、ネットワークＮＴで接続された機器の自動検出を行う。即ち、記録装置検索部１３は、ネットワークＮＴに接続されている記録装置２００を検索するために、Ｍ−ＳＥＡＲＣＨ要求等の検索要求をネットワークＮＴに接続されている各装置に対して定期的にブロードキャスト送信する。検索要求を受信した記録装置２００は、Ｍ−ＳＥＡＲＣＨ応答等の検索応答を録画装置１００に送り返し、自装置がネットワークＮＴ上に参加していることを通知する。これにより記録装置検索部１３は、ネットワークＮＴに接続されている記録装置２００を検索することができる。
【００２６】
情報受信部１４は、ネットワークＮＴに接続された記録装置２００から、後述する機器情報および機能情報を受信する。
【００２７】
ここで、機器情報とは、記録装置２００のデバイスに関する情報のことである。機器情報としては、例えば、記録装置２００のＩＰアドレス、当該記録装置２００が備えるドライブ２２に関するドライブ情報、記録装置２００で用いられる記録媒体２３の記録可能容量等を示したメディア情報等が挙げられる。また、機器情報のより具体的な例として、記録装置２００で利用可能なサービス（Service）を示すDevice  Description、当該サービスで可能な処理を示すService  Description等がある。
【００２８】
また、機能情報とは、記録装置２００が有する機能の詳細を示す情報のことである。機能情報としては、例えば、記録装置２００がコンテンツデータのデータ容量を低減することが可能なデータ圧縮機能を備えているか否かを示す情報等がある。また、記録装置２００がコンテンツデータのビットレートやコーデックを変更してコンテンツデータのデータ容量を低減する圧縮機能（コンテンツ再圧縮機能）を有している場合には、その圧縮機能の詳細情報が機能情報に含まれる。
【００２９】
例えば、記録装置２００がコンテンツデータに対してビットレート変換を行う機能を有している場合には、記録装置２００がコンテンツデータの再圧縮時に使用可能なビットレートが機能情報に含まれる。また、記録装置２００が、送信されたコンテンツデータを光ディスクの記録可能容量に収まるよう自動で圧縮する機能を備えている場合には、当該圧縮機能に関する情報が機能情報に含められる。
【００３０】
さらに、機能情報には、記録装置２００が使用可能なビットレートの最低値である再圧縮最低ビットレートが含まれる。ここで、再圧縮最低ビットレートを用いる場合にはコンテンツデータの圧縮率を最高とすることができるため、再圧縮最低ビットレートは、記録装置２００が有するデータ圧縮機能の最高圧縮率ということができる。
【００３１】
尚、最高圧縮率としては、上述の再圧縮最低ビットレートに限定されるものではなく、記録装置２００がコンテンツデータを圧縮する場合に、圧縮後のコンテンツデータのデータ容量を最小とする圧縮機能であればよい。
【００３２】
ここで、図２は、記録装置２００から送信された機能情報の一部の一例を示す模式図である。図２には、ドライブ２２として、ＢＤドライブ及びＤＶＤドライブの両機能を有するＢＤ／ＤＶＤドライブに関する機能情報が示されている。また、ＢＤ／ＤＶＤドライブの機能情報として、ＢＤ／ＤＶＤドライブがコンテンツ再圧縮機能を有していることが示されており、再圧縮最低ビットレートが１２Ｍｂｐｓであることが示されている。
【００３３】
次に、録画装置１００が記録装置２００から機器情報および機能情報を受信する処理と、機器情報や機能情報などに基づいて機器選択画面Ｇ１（図３参照）、ドライブ選択画面Ｇ２（図４参照）を表示装置３００に表示させる処理の詳細について説明する。
【００３４】
情報受信部１４は、ｈｔｔｐプロトコルのＧＥＴ要求等により、記録装置２００に機器情報を送るよう要求する機器情報要求を送信する。機器情報要求を受信した記録装置２００は、ＧＥＴ応答等により機器情報応答を行って、自装置の機器情報を録画装置１００に送り返す。
【００３５】
表示制御部１１は、上述した記録装置検索部１３による検索結果や、情報受信部１４が受信した各記録装置２００の機器情報に基づいて、コンテンツのダビング先となる記録装置２００（機器）を選択させるための機器選択画面Ｇ１（図３参照）を表示装置３００に表示させる。
【００３６】
図３は、機器選択画面Ｇ１の一例を示す図である。同図に示すように表示制御部１１は、機器選択画面Ｇ１に、ネットワークＮＴに接続されている記録装置２００の各々を選択可能に表示する。なお、図３では、記録装置２００として、光学ドライブを搭載していないＮＡＳ（Network  Attached  Storage）（ＮＡＳ−Ａ、ＮＡＳ−Ｂ）と、光学ドライブを搭載しているＢＤレコーダとを機器選択画面Ｇ１に表示した例を示している。
【００３７】
送信指示受付部１２は、機器選択画面Ｇ１に基づき、コンテンツのダビング先となる記録装置２００の選択をユーザから受付ける。例えば、図３のＢＤレコーダが選択された場合に、送信指示受付部１２は、ダビング先となる記録装置２００としてＢＤレコーダが選択された旨を受付ける。
【００３８】
情報受信部１４は、機器選択画面Ｇ１において選択された記録装置２００に対して、ＳＯＡＰ要求等を行って、当該記録装置２００の機能情報を送るよう要求する機能情報要求を送信する。機能情報要求を受信した記録装置２００は、ＳＯＡＰ応答等により機能情報応答を行って、自装置の機能情報を録画装置１００に送り返す。
【００３９】
表示制御部１１は、機器選択画面Ｇ１においてダビング先の記録装置２００が選択されると、情報受信部１４が受信した機器情報および機能情報に基づいて、選択された記録装置２００が備えるドライブ装置から、ダビング先となるドライブ２２を選択させるためのドライブ選択画面Ｇ２（図４参照）を表示装置３００に表示させる。
【００４０】
ここで、図４は、ドライブ選択画面Ｇ２の一例を示す図である。例えば図３においてＢＤレコーダが選択された場合に、表示制御部１１は機能情報に含まれるドライブ情報に基づいて、ＢＤレコーダが備えているドライブであるＨＤＤとＢＤ／ＤＶＤドライブとを表示する。
【００４１】
送信指示受付部１２は、ドライブ選択画面Ｇ２に基づき、ダビング先となるドライブ２２の選択を受付ける。例えば、図４においてＢＤ／ＤＶＤドライブが選択された場合に、送信指示受付部１２は、ダビング先となるドライブ２２としてＢＤ／ＤＶＤドライブが選択された旨を受付ける。
【００４２】
次に、図５を参照し、記録装置２００にダビングする対象となるコンテンツ（対象コンテンツ）をユーザに選択させる処理について説明する。
【００４３】
表示制御部１１は、ドライブ選択画面Ｇ２（図４参照）においてダビング先のドライブが選択された場合に、記録部４に格納されているコンテンツのリストから、記録装置２００にダビングする対象コンテンツを選択させるためのコンテンツ選択画面Ｇ３（図５参照）を表示装置３００に表示させる。
【００４４】
ここで、図５は、コンテンツ選択画面Ｇ３の一例を示す図である。図５に示すように、コンテンツ選択画面Ｇ３には、記録部４に格納されているコンテンツのリストを、各コンテンツのタイトルやサムネイル等によって表示するコンテンツ表示エリアＡ１が設けられている。ユーザは、リモコン（不図示）の左右ボタンによってダビングを所望するコンテンツ（番組Ａ〜番組Ｄ）にカーソルを移動し、リモコンの選択ボタンを押すことによって、ダビング対象となる対象コンテンツを１つ以上選択することができる。
【００４５】
尚、コンテンツ選択画面Ｇ３に表示されるコンテンツとしては、録画装置１００の記録部４に格納されているコンテンツの他にも、図１に示すような記録装置２００ｂや記録装置２００ｃなど、その他の記録装置２００の記録媒体に記録されているコンテンツを表示してもよい。
【００４６】
尚、コンテンツ選択画面Ｇ３においては、ダビングコンテンツの追加選択、すでに選択しているコンテンツに対する選択解除、ダビング中止等の選択を随時受付けられるようになっている。
【００４７】
また、図５に示すように、コンテンツ選択画面Ｇ３には、機器選択画面Ｇ１で選択されたダビング先の記録装置２００の装置名と、ドライブ選択画面Ｇ２で選択されたダビング先のドライブ名と、当該記録装置２００において使用可能である再圧縮最低ビットレート等を表示する装置情報表示エリアＡ２が設けられている。
【００４８】
コンテンツ選択受付部１５は、コンテンツ選択画面Ｇ３に基づき、記録装置２００に送信する対象コンテンツの選択を受付ける。コンテンツ表示エリアＡ１（図５参照）において番組Ｂと番組Ｃとが選択された状態で、リモコンの決定ボタンが押下されると、コンテンツ選択受付部１５は、番組Ｂおよび番組Ｃのコンテンツデータをダビングする旨の指示を受付ける。
【００４９】
データ容量算出部１６は、コンテンツ選択画面Ｇ３で選択を受け付けたダビング対象のコンテンツデータ（以下、対象コンテンツデータという）の総データ容量と、記録装置２００が取り扱うことのできる再圧縮最低ビットレートとに基づき、対象コンテンツの全てを再圧縮最低ビットレートで再圧縮した際の、再圧縮後の総データ容量を算出する。尚、再圧縮最低ビットレートによる再圧縮後のデータ容量は、下記式（１）に示すように、コンテンツ容量の等倍速再生時間と、再圧縮最低ビットレートとの積によって算出される。
再圧縮後の総データ容量  ＝  等倍速再生時間×再圧縮最低ビットレート      （１）
【００５０】
表示制御部１１は、対象コンテンツの総データ容量、データ容量算出部１６により算出された、対象コンテンツを再圧縮最低ビットレートで圧縮した場合での再圧縮後の総データ容量、記録媒体２３の記録可能容量等を、コンテンツ選択画面Ｇ３（図５参照）に表示する。
【００５１】
即ち、図５のコンテンツ選択画面Ｇ３には、上述のようにして選択された対象コンテンツのタイトルと、各コンテンツを等倍速で再生する場合の再生時間と、非圧縮時の各コンテンツのデータ容量及びその合計値と、データ容量算出部１６が算出した再圧縮最低ビットレート圧縮時での各対象コンテンツのデータ容量及びその合計値とを表示するデータ容量表示エリアＡ３が設けられている。
【００５２】
また、図５のコンテンツ選択画面Ｇ３には、非圧縮時の対象コンテンツの総データ容量と、データ容量算出部１６が算出した、再圧縮最低ビットレート圧縮後での対象コンテンツの総データ容量と、記録媒体２３の記録可能容量（ディスク容量）とを、棒グラフによって比較可能に図示するデータ容量比較表示エリアＡ４が設けられている。
【００５３】
このように、データ容量比較表示エリアＡ４において、圧縮前後のデータ容量を記録媒体２３の記録可能容量と比較可能に表示することによって、圧縮後のデータ容量が最小となる場合に対象コンテンツの全部を記録媒体２３にダビング可能であるか否かを直感的に把握させることができる。
【００５４】
次に、図６を参照し、対象コンテンツを再圧縮するか否かの選択をユーザに選択させる処理について説明する。
【００５５】
コンテンツ選択受付部１５は、上述したコンテンツ選択画面Ｇ３において対象コンテンツが選択されてリモコンの「決定」ボタンが押下されると、選択された対象コンテンツをドライブ選択画面Ｇ２で選択されたドライブ２２にダビングする旨の指示を受付ける。
【００５６】
データ容量判定部１７は、上述した再圧縮最低ビットレートで対象コンテンツデータを圧縮した場合に、再圧縮後の対象コンテンツの総データ容量が記録媒体２３の記録可能容量内であるか否かを判定する。
【００５７】
表示制御部１１は、データ容量判定部１７が、再圧縮後の対象コンテンツの総データ容量は記録媒体２３の記録可能容量以内であると判定した場合に、対象コンテンツを圧縮してダビングするか否かを選択させるための圧縮受付画面Ｇ４（図６参照）を表示装置３００に表示させる。
【００５８】
ここで、図６は、圧縮受付画面Ｇ４の一例を示す図である。図示するように、圧縮受付画面Ｇ４には「コンテンツを圧縮すれば全てのコンテンツをディスク１枚にダビングすることが可能です。」等の、圧縮後のコンテンツデータが１枚のディスクの記録可能容量内である旨のメッセージが表示される。即ち、圧縮受付画面Ｇ４には、データ容量判定部１７の判定結果が表示される。さらに、圧縮受付画面Ｇ４には「圧縮してダビングしますか？」等と、データ圧縮の可否をユーザに問うメッセージが表示される。
【００５９】
圧縮指示受付部１８は、圧縮受付画面Ｇ４に基づいて、記録装置２００によって対象コンテンツデータを圧縮するか否かの選択を受付ける。即ち、図６において、「圧縮してダビング」が選択された場合、圧縮指示受付部１８は、対象コンテンツデータに再圧縮を施す旨の圧縮指示を受付ける。一方、「圧縮せずにダビング」が選択された場合には、圧縮指示受付部１８は、対象コンテンツに再圧縮を施さない旨の指示を受付ける。
【００６０】
尚、上述では、全ての対象コンテンツについて再圧縮するか否かの選択を受付けているが、これに限らず、その他の例として、個々の対象コンテンツに対してそれぞれ再圧縮を施すか否かの選択を受付ける形態としてもよい。
【００６１】
コンテンツ送信部１９は、圧縮指示受付部１８が対象コンテンツデータに再圧縮を施す旨の圧縮指示を受付けた場合には、コンテンツデータを圧縮（再圧縮）して記録する旨の圧縮指示を含むコンテンツメタデータを生成する。また、コンテンツ送信部１９は、圧縮指示受付部１８が対象コンテンツデータに再圧縮を施さない旨の指示を受付けた場合には、圧縮指示を含まないコンテンツメタデータを生成する。
【００６２】
図７は、コンテンツデータの圧縮指示を含むコンテンツメタデータの一部の一例を示す模式図である。図７に示すように、コンテンツメタデータには、ダビング先のドライブ名、対象コンテンツのタイトル、対象コンテンツの録画日や録画時刻、対象コンテンツの総録画時間、対象コンテンツのデータサイズ等が含まれている。
【００６３】
また、コンテンツメタデータには、コンテンツデータの圧縮指示として、コンテンツ再圧縮機能の使用を指示する情報（コンテンツ再圧縮機能使用：有）が含まれる。尚、コンテンツデータの圧縮指示を含まないコンテンツメタデータの場合、コンテンツ再圧縮機能の使用を指示する情報自体を削除、または、コンテンツ再圧縮機能を使用しない（例えば、コンテンツ再圧縮機能使用：無）としたメタデータが生成される。
【００６４】
そして、コンテンツ送信部１９は、Create  Object要求等により、対象コンテンツを記録装置２００の記録媒体２３にダビングするよう要求するダビング要求を記録装置２００に送信する。尚、ダビング要求には上述のように生成されたコンテンツメタデータが含まれるものとする。
【００６５】
ダビング要求を受信した記録装置２００は、Create  Object応答等によりダビング応答を行う。即ち、コンテンツメタデータに基づいて対象コンテンツを記録媒体２３にダビングすることが可能であるか否かを判定し、ダビング可能である場合に記録装置２００は、対象コンテンツデータをダビング可能である旨のダビング応答を録画装置１００に送信する。尚、ダビングすることが不可能と判定した場合、記録装置２００は、ダビング不可能である旨のダビング応答を録画装置１００に送信する。
【００６６】
コンテンツ送信部１９は、記録装置２００からダビング可能である旨のダビング応答を受信した場合に、対象コンテンツデータを記録装置２００に送信する。一方、コンテンツ送信部１９が、記録装置２００からダビング不可能である旨のダビング応答を受信した場合には、表示制御部１１によって、ダビングが不可能である旨やその原因を示すエラーメッセージを表示装置３００に表示させる。
【００６７】
尚、コンテンツ送信部１７は、コンテンツ選択画面Ｇ３で選択された対象コンテンツが上述のように他の記録装置２００（２００ｂ、２００ｃなど）に記録されている場合には、この対象コンテンツデータの保存場所を示すＵＲＬ等の情報を記録装置２００に送信するとしてもよい。
【００６８】
尚、コンテンツ送信部１９は、データ容量判定部１７により再圧縮後のデータ容量が記録媒体２３の記録可能容量内であると判定された場合に、圧縮受付画面Ｇ４を表示せずに、上述の圧縮指示を含むコンテンツメタデータとともに対象コンテンツデータを記録装置２００に自動的に送信する形態としてもよい。
【００６９】
次に、記録装置２００の機能的構成について説明する。記録装置２００の制御部２０は、ＣＰＵがＲＯＭに記録されたプログラムをＲＡＭに展開して実行することにより、図１に示すように、情報送信部３１と、コンテンツ受信部３２と、データ圧縮部３３、記録制御部３４として機能する。
【００７０】
情報送信部３１は、録画装置１００から上述の検索要求を受信すると、ネットワークＩ／Ｆ２１およびネットワークＮＴを介して録画装置１００に検索応答を送信する。また、情報送信部３１は、録画装置１００から上述の機器情報要求を受信すると、ネットワークＩ／Ｆ２１およびネットワークＮＴを介して自己の記録装置２００の機器情報を機器情報応答として録画装置１００に送信する。さらに、情報送信部３１は、録画装置１００から上述の機能情報要求を受信すると、ネットワークＩ／Ｆ２１およびネットワークＮＴを介して自己の記録装置２００の機能情報を機能情報応答として録画装置１００に送信する。
【００７１】
コンテンツ受信部３２は、録画装置１００から、ダビング要求として上述のコンテンツメタデータを受信し、このコンテンツメタデータに基づいて対象コンテンツを記録媒体２３にダビング可能であるか否かを判定する。ダビング可能と判定した場合には、コンテンツ受信部３２は、ダビング可能である旨のダビング応答を録画装置１００に送信する。そして、録画装置１００から送信されたコンテンツデータを受信する。一方、ダビング不可能と判定した場合には、コンテンツ受信部３２は、ダビング不可能である旨のダビング応答を録画装置１００に送信する。
【００７２】
尚、上述のように、コンテンツ選択画面Ｇ３で選択された対象コンテンツが他の記録装置２００（２００ｂ、２００ｃなど）に記録されている場合には、コンテンツ受信部３２は、当該他の記録装置２００からコンテンツデータを受信するとしてもよい。
【００７３】
データ圧縮部３３は、コンテンツ受信部３２が受信したコンテンツメタデータに含まれる圧縮指示に応じて、受信したコンテンツデータのデータ容量を低減する圧縮処理を施す。
【００７４】
より具体的には、データ圧縮部３３は、コンテンツメタデータに含まれるコンテンツデータのサイズや、ファイル形式、ビットレート等の情報を用いて、コンテンツデータが記録媒体２３の記録可能容量に収まるようにコンテンツデータの圧縮（再圧縮）を行う。尚、データ圧縮部３３は、上述した再圧縮最低ビットレート以上のビットレートによりコンテンツデータを再圧縮する。
【００７５】
また、上述したように、記録装置２００が光ディスク（記録媒体２３）の記録可能容量に収まるように圧縮する再圧縮機能を備えている場合、データ圧縮部３３は、この再圧縮機能を用いて、１枚の光ディスクの記録容量に収まるようにデータを圧縮する。即ち、データ圧縮部３３は、受信したコンテンツデータのデータ容量が、光ディスクの記録可能容量に収まるようなビットレートを選択し、選択したビットレートによりコンテンツデータを再圧縮する。
【００７６】
尚、データ圧縮部３３は、ビットレートを変更してコンテンツデータを再圧縮してもよいし、フォーマット（コーデック）変換を行ってコンテンツデータを再圧縮してもよい。
【００７７】
記録制御部３４は、ドライブ２２を制御して、データ圧縮部３３により圧縮されたコンテンツデータを記録媒体２３に記録する。また、コンテンツ受信部３２が受信したコンテンツメタデータに圧縮指示が含まれていない場合には、コンテンツデータの再圧縮は行われないため、記録制御部３４は、受信したコンテンツデータをそのまま記録媒体２３に記録する。なお、受信した全てのコンテンツデータが１枚の光ディスクに収まらない場合、記録制御部３４は、複数枚の光ディスクに分けてコンテンツデータのダビングを行うものとする。
【００７８】
尚、上述では、データ圧縮部３３がデータ圧縮を行うとしたが、記録装置２００はデータ圧縮を行うデータ処理部をハードウェアとして備えて、このデータ処理部がコンテンツデータの圧縮を行う形態としてもよい。
【００７９】
次に、ネットワークコンテンツダビングシステム１において行われるコンテンツダビング処理の手順について説明する。図８は、ネットワークコンテンツダビングシステム１において行われるコンテンツダビング処理の手順の一例を示すシーケンス図である。
【００８０】
まず、録画装置１００は、コンテンツの送信（ダビング）指示を受付けたか否かを判定する（ステップＳ１）。メニュー画面（不図示）からダビングの選択がなされた場合、或いはリモコン（不図示）においてダビングボタンが押下された場合に、録画装置１００はコンテンツの送信指示を受付ける（ステップＳ１：Ｙｅｓ）。コンテンツの送信指示を受付けない場合（ステップＳ１：Ｎｏ）には、ステップＳ１に戻って指示待ちをする。
【００８１】
次に、録画装置１００は、ネットワークＮＴに接続されている記録装置２００を検索するための検索要求を、ネットワークＮＴに接続されている各装置に対してブロードキャスト送信することにより、記録装置２００の検索を行う（ステップＳ２）。
【００８２】
検索要求を受信した記録装置２００は、録画装置１００に検索応答を送信し、自装置がネットワークＮＴ上に参加していることを通知する（ステップＳ３）。
【００８３】
検索応答を受信した録画装置１００は、記録装置２００に機器情報要求を送信する（ステップＳ４）。そして機器情報要求を受信した記録装置２００は、機器情報応答を行って、自装置の機器情報を録画装置１００に送り返す（ステップＳ５）。
【００８４】
そして、録画装置１００は、受信した機器情報に基づいて、ダビング先の記録装置２００を選択する機器選択画面Ｇ１を表示装置３００に表示させる（ステップＳ６）。また、録画装置１００は、機器選択画面Ｇ１においてダビング先の記録装置２００の選択を受付ける（ステップＳ７）。
【００８５】
録画装置１００は、機器選択画面Ｇ１において選択された記録装置２００に、機能情報を送るよう要求する機能情報要求を送信する（ステップＳ８）。記録装置２００は、機能情報応答を行って、自装置の機能情報を録画装置１００に送り返す（ステップＳ９）。尚、本処理では、録画装置１００から機器情報と機能情報とを個別に要求する形態としたが、これに限らず、ステップＳ４の段階で、機器情報および機能情報を同時に要求する形態としてもよい。
【００８６】
録画装置１００は、受信した機能情報に基づいて、ドライブ選択画面Ｇ２を表示装置３００に表示し（ステップＳ１０）、ドライブ選択画面Ｇ２においてコンテンツダビング先のドライブ２２の選択を受付ける（ステップＳ１１）。次に、録画装置１００は、表示装置３００にコンテンツ選択画面Ｇ３を表示し（ステップＳ１２）、ダビングの対象となる対象コンテンツの選択を受付ける（ステップＳ１３）。そして、録画装置１００は、選択された対象コンテンツの総データ容量を算出し（ステップＳ１４）、算出した総データ容量と、再圧縮最低ビットレートで再圧縮した場合の再圧縮後の総データ容量と、記録媒体２３の記録可能容量等をコンテンツ選択画面Ｇ３に表示する（ステップＳ１５）。
【００８７】
そして、録画装置１００は、コンテンツ選択画面Ｇ３においてコンテンツの選択が完了したか否かを判定する（ステップＳ１６）。コンテンツの選択が完了していない間（ステップＳ１６：Ｎｏ）は、対象コンテンツの選択が完了するまでステップＳ１３〜Ｓ１６の処理を続ける。一方、コンテンツの選択が完了した場合（ステップＳ１６：Ｙｅｓ）には、録画装置１００は、圧縮受付画面Ｇ４を表示装置３００に表示させる（ステップＳ１７）。
【００８８】
録画装置１００は、圧縮受付画面Ｇ４において、対象コンテンツにデータ圧縮を施す旨の圧縮指示を受付けたか否か判定する（ステップＳ１８）。圧縮指示を受付けた場合（ステップＳ１８：Ｙｅｓ）には、録画装置１００は当該圧縮指示を含むコンテンツメタデータを生成する（ステップＳ１９）。圧縮指示を受付けなかった場合（ステップＳ１８：Ｎｏ）には、録画装置１００は圧縮指示を含まないコンテンツメタデータを生成する（ステップＳ２０）。
【００８９】
そして、録画装置１００は、ステップＳ１９またはステップＳ２０で生成したコンテンツメタデータを用いて、対象コンテンツを記録装置２００にダビングするよう要求するダビング要求を記録装置２００に送信する（ステップＳ２１）。このダビング要求を受信した記録装置２００は、受信したコンテンツメタデータに基づいて、対象コンテンツのダビングが可能であるか否かを判定し、判定結果に応じたダビング応答を録画装置１００に送り返す（ステップＳ２２）。
【００９０】
受信したダビング応答において、ダビング不可能である旨が示されている場合には、録画装置１００は表示装置３００にエラーメッセージを表示する（不図示）。一方、受信したダビング応答において、ダビング可能である旨が示されている場合には、録画装置１００は対象コンテンツのコンテンツデータを順次記録装置２００に送信する（ステップＳ２３）。１コンテンツのコンテンツデータの送信が完了すると、録画装置１００は全ての対象コンテンツデータをダビングしたか否かを判定する（ステップＳ２４）。全ての対象コンテンツデータを送信していない場合（ステップＳ２４：Ｎｏ）には、次の対象コンテンツデータのダビング要求を送信する（ステップＳ２１）。
【００９１】
一方、全ての対象コンテンツデータの送信が完了した場合（ステップＳ２４：Ｙｅｓ）には、ダビング処理が終了した旨を表示装置３００に表示して（ステップＳ２５）処理を終了する。
【００９２】
尚、上述のように、個々のコンテンツに対してそれぞれ圧縮するか否かを選択可能とした場合には、ステップＳ２３で対象コンテンツデータを送信した後に、ステップＳ１８に戻って次の対象コンテンツデータについてデータ圧縮を選択したか否かを判定し、以降ステップＳ１８〜Ｓ２４の処理を全ての対象コンテンツをダビングするまで続ければよい。
【００９３】
また、記録装置２００は、ステップＳ２３で録画装置１００から送信されたコンテンツデータを受信して、受信したコンテンツデータの再圧縮および記録媒体２３への記録（書込）を行う（ステップＳ２６）。そして、記録装置２００は、全てのコンテンツデータを記録媒体２３に記録したか否かを判定し（ステップＳ２７）、全てのコンテンツを記録していない場合（ステップＳ２７：Ｎｏ）には、ステップＳ２６〜Ｓ２７の処理を繰り返す。全てのコンテンツデータの書込が終了した場合（ステップＳ２７：Ｙｅｓ）には、処理を終了する。
【００９４】
尚、上述では、機器選択画面Ｇ１、ドライブ選択画面Ｇ２によってダビング先のドライブ２２を先に選択してから、コンテンツ選択画面Ｇ３によってコンテンツを選択するとしたが、選択の順序はこれに限定されない。その他の例として、コンテンツ選択画面Ｇ３によってコンテンツを選択してから、機器選択画面Ｇ１、ドライブ選択画面Ｇ２によってダビング先を選択するとしてもよい。また、圧縮受付画面Ｇ４を表示するタイミングも上述に限定されず、その他のタイミングで圧縮指示を受付けるとしてもよい。
【００９５】
以上説明したように、本実施形態によれば、ネットワークで接続された記録装置が有するデータ圧縮機能の最高圧縮率でコンテンツデータを圧縮する場合に、圧縮後のデータ容量が記録媒体の記録可能容量内であるか否かを判定する。従って、ネットワークで自装置と接続された記録装置において、ダビング対象のコンテンツデータを記録媒体に記録可能であるか否かを判断することが可能となり、ネットワークで自装置と接続された記録装置にコンテンツデータをダビング又はムーブさせる際の利便性を向上させることができる。
【００９６】
なお、本実施形態の録画装置１００および記録装置２００で実行されるプログラムは、ＲＯＭ等に予め組み込まれて提供される。本実施形態の録画装置１００および記録装置２００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９７】
さらに、本実施形態の録画装置１００および記録装置２００で実行されるプログラムを、インターネット等のネットワークに接続されたコンピュータ上に格納し、ネットワーク経由でダウンロードさせることにより提供するように構成しても良い。また、本実施形態の録画装置１００および記録装置２００で実行されるプログラムをインターネット等のネットワーク経由で提供または配布するように構成しても良い。
【００９８】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００９９】
１  ネットワークコンテンツダビングシステム
１００  録画装置
２００（２００ａ、２００ｂ、２００ｃ）  記録装置
Ｇ１  機器選択画面
Ｇ２  ドライブ選択画面
Ｇ３  コンテンツ選択画面
Ｇ４  圧縮受付画面
Ａ１  コンテンツ表示エリア
Ａ２  装置情報表示エリア
Ａ３  データ容量表示エリア
Ａ４  データ容量比較表示エリア
【図１】
2012109816.tif 000003
【図２】
2012109816.tif 000004
【図３】
2012109816.tif 000005
【図４】
2012109816.tif 000006
【図５】
2012109816.tif 000007
【図６】
2012109816.tif 000008
【図７】
2012109816.tif 000009
【図８】
2012109816.tif 000010
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
ネットワークで自装置と接続された記録装置から、当該記録装置で用いられる記録媒体の記録可能容量と、この記録装置が有するデータ圧縮機能の最高圧縮率を示す情報とを受信する情報受信手段と、
自装置または自装置とネットワークで接続された記憶装置に記憶されたコンテンツデータの中から、前記記録装置に送信するコンテンツデータの選択を受付けるコンテンツ選択受付手段と、
前記情報受信手段が受信した前記最高圧縮率に基づいて、前記最高圧縮率で圧縮した場合の前記コンテンツデータのデータ容量を算出するデータ容量算出手段と、
前記データ容量算出手段が算出した前記圧縮後のコンテンツデータのデータ容量が、前記情報受信手段が受信した前記記録媒体の記録可能容量内であるか否かを判定するデータ容量判定手段と、
前記データ容量判定手段が前記圧縮後のデータ容量は前記記録媒体の記録可能容量内であると判定した場合に、前記コンテンツデータを圧縮して記録する旨の指示を前記記録装置に送信する指示送信手段と、
前記コンテンツデータが自装置内に記憶されている場合には当該コンテンツデータを前記記録装置に送信し、前記コンテンツデータが前記記憶装置に記憶されている場合には当該コンテンツデータの保存場所を示す情報を前記記録装置に送信するデータ送信手段と、
を備えることを特徴とする録画装置。
【請求項２】
前記データ容量判定手段が前記圧縮後のデータ容量は前記記録媒体の記録可能容量内であると判定した場合に、前記記録装置によって前記コンテンツデータを圧縮するか否かの選択を受付ける圧縮受付手段をさらに備え、
前記指示送信手段は、前記圧縮受付手段が前記コンテンツデータを圧縮する旨の選択を受付けた場合に、前記記録装置に前記指示を送信すること、
を特徴とする請求項１に記載の録画装置。
【請求項３】
前記コンテンツデータを送信する送信先の前記記録装置の選択を受付ける送信先受付手段をさらに備え、
前記データ容量判定手段は、前記データ容量算出手段が算出した前記圧縮後のコンテンツデータのデータ容量が、前記送信先受付手段が受付けた前記記録装置で用いられる前記記録媒体の記録可能容量内であるか否かを判定すること、
を特徴とする請求項１または２に記載の録画装置。
【請求項４】
前記データ容量判定手段による判定結果を表示装置に表示させる表示制御手段をさらに備えること、
を特徴とする請求項１ないし３のいずれか１つに記載の録画装置。
【請求項５】
前記情報受信手段が受信した前記記録媒体の記録可能容量と、前記コンテンツ選択受付手段が受付けた前記コンテンツデータのデータ容量と、前記データ容量算出手段が算出した前記圧縮後のコンテンツデータのデータ容量と、を表示装置に表示する第２表示制御手段をさらに備えること、
を特徴とする請求項１ないし４のいずれか１つに記載の録画装置。
【請求項６】
前記圧縮受付手段は、前記各コンテンツデータについてそれぞれ、前記圧縮を施すか否かの選択を受付けること、
を特徴とする請求項２ないし５のいずれか１つに記載の録画装置。
【請求項７】
録画装置において、
ネットワークで自装置と接続された記録装置から、当該記録装置で用いられる記録媒体の記録可能容量と、この記録装置が有するデータ圧縮機能の最高圧縮率を示す情報とを受信する情報受信工程と、
自装置または自装置とネットワークで接続された記憶装置に記憶されたコンテンツデータの中から、前記記録装置に送信するコンテンツデータの選択を受付けるコンテンツ選択受付工程と、
前記情報受信工程で受信した前記最高圧縮率に基づいて、前記最高圧縮率で圧縮した場合の前記コンテンツデータのデータ容量を算出するデータ容量算出工程と、
前記データ容量算出工程で算出した前記圧縮後のコンテンツデータのデータ容量が、前記情報受信工程で受信した前記記録媒体の記録可能容量内であるか否かを判定するデータ容量判定工程と、
前記データ容量判定工程で前記圧縮後のデータ容量は前記記録媒体の記録可能容量内であると判定した場合に、前記コンテンツデータを圧縮して記録する旨の指示を前記記録装置に送信する指示送信工程と、
前記コンテンツデータが自装置内に記憶されている場合には当該コンテンツデータを前記記録装置に送信し、前記コンテンツデータが前記記憶装置に記憶されている場合には当該コンテンツデータの保存場所を示す情報を前記記録装置に送信するデータ送信工程と、
を含むことを特徴とする録画装置の制御方法。
【手続補正３】
【補正対象書類名】明細書
【補正対象項目名】０００１
【補正方法】変更
【補正の内容】
【０００１】
本発明の実施形態は、録画装置及び録画装置の制御方法に関する。
【手続補正４】
【補正対象書類名】明細書
【補正対象項目名】０００７
【補正方法】変更
【補正の内容】
【０００７】
実施形態の録画装置は、情報受信手段と、コンテンツ選択受付手段と、データ容量算出手段と、データ容量判定手段と、指示送信手段と、データ送信手段とを備える。情報受信手段は、ネットワークで自装置と接続された記録装置から、当該記録装置で用いられる記録媒体の記録可能容量と、この記録装置が有するデータ圧縮機能の最高圧縮率を示す情報とを受信する。コンテンツ選択受付手段は、自装置または自装置とネットワークで接続された記憶装置に記憶されたコンテンツデータの中から、前記記録装置に送信するコンテンツデータの選択を受付ける。データ容量算出手段は、前記情報受信手段が受信した前記最高圧縮率に基づいて、前記最高圧縮率で圧縮した場合の前記コンテンツデータのデータ容量を算出する。データ容量判定手段は、前記データ容量算出手段が算出した前記圧縮後のコンテンツデータのデータ容量が、前記情報受信手段が受信した前記記録媒体の記録可能容量内であるか否かを判定する。指示送信手段は、前記データ容量判定手段が前記圧縮後のデータ容量は前記記録媒体の記録可能容量内であると判定した場合に、前記記録装置に、前記コンテンツデータを圧縮して記録する旨の指示を送信する。データ送信手段は、前記コンテンツデータが自装置内に記憶されている場合には当該コンテンツデータを前記記録装置に送信し、前記コンテンツデータが前記記憶装置に記憶されている場合には当該コンテンツデータの保存場所を示す情報を前記記録装置に送信する。